(57)【要約】【課題】  出張のスケジュールに連携して予算やその他の選択条件に適合した土産品を自動的に決定することができると共に、その土産品の購入先の情報を提供して土産品の調達を支援する出張スケジュール連携土産品購入支援システムを提供する。【解決手段】  ユーザの出張スケジュールを管理するスケジュール管理端末２０と、前記スケジュール管理端末にアクセスして出張スケジュールの入力及び閲覧を行うユーザ端末３０と、出張に伴って購入する土産品に関する情報を格納する土産品データベース４０と、前記ユーザ端末から入力された指定情報に基づいて、前記土産品データベースの前記土産品に関する情報から、出張に伴って購入する土産品と当該土産品の購入先情報を取得し、土産品購入情報として前記ユーザ端末に対して出力する土産品情報提供装置５０を備える。【選択図】  図１
2008250634.tif 000002
【特許請求の範囲】
【請求項１】
ユーザの出張スケジュールを管理するスケジュール管理端末と、
前記スケジュール管理端末にアクセスして出張スケジュールの入力及び閲覧を行うユーザ端末と、
出張に伴って購入する土産品に関する情報を格納する土産品データベースと、
前記ユーザ端末から入力された指定情報に基づいて、前記土産品データベースの前記土産品に関する情報から、出張に伴って購入する土産品と当該土産品の購入先情報を取得し、土産品購入情報として前記ユーザ端末に対して出力する土産品情報提供装置と
を備えることを特徴とする出張スケジュール連携土産品購入支援システム。
【請求項２】
前記土産品データベースは、土産品の名称、店舗、値段等を含むデータを前記土産品毎に格納した土産品情報と、土産品を購入する店舗の情報を格納した店情報とを、前記土産品に関する情報として格納することを特徴とする請求項１に記載の出張スケジュール連携土産品購入支援システム。
【請求項３】
出張に関する情報と、前記土産品に関する選択条件が、前記指定情報として、前記ユーザ端末から入力され、
前記土産品情報提供装置は、
前記指定情報に含まれる前記土産品に関する選択条件に合致する前記土産品とその土産品の購入先情報を前記土産品データベースから取得することを特徴とする請求項１又は請求項２に記載の出張スケジュール連携土産品購入支援システム。
【請求項４】
前記土産品に関する選択条件として、土産品購入の予算額を少なくとも含み、前記土産品情報提供装置は、前記予算額以内で購入可能な前記土産品を前記土産品データベースから取得することを特徴とする請求項３に記載の出張スケジュール連携土産品購入支援システム。
【請求項５】
前記土産品データベースは、前記土産品の届け先の嗜好を登録した嗜好情報と、以前に選択した土産品の履歴情報を含み、
前記土産品情報提供装置は、前記土産品に関する選択条件に基づいて、前記土産品の届け先の嗜好に適合する土産品を前記土産品データベースから取得すると共に、前記履歴情報を参照して前回と同じか異なる土産品を前記土産品データベースから取得することを特徴とする請求項３又は請求項４に記載の出張スケジュール連携土産品購入支援システム。
【請求項６】
前記土産品情報提供装置は、
前記選択条件に合致する土産品の候補を含む投票依頼を、複数の仲間が所有する複数のユーザ端末に対して送信し、
前記複数のユーザ端末から送信された土産品の候補に対する投票を集計し、その結果に基づいて前記土産品の候補を土産品とするかを決定することを特徴とする請求項３から請求項５の何れか１項に記載の出張スケジュール連携土産品購入支援システム。
【請求項７】
前記土産品情報提供装置は、
通信回線を介して前記土産品の購入先である店舗が備える装置にアクセスすることにより、前記土産品に関する関連情報を収集し、前記土産品データベースに登録することを特徴とする請求項１から請求項６の何れか１項に記載の出張スケジュール連携土産品購入支援システム。
【請求項８】
前記土産品情報提供装置の機能を、前記スケジュール端末又は前記ユーザ端末に備えられることを特徴とする請求項１から請求項７の何れか１項に記載の出張スケジュール連携土産品購入支援システム。
【請求項９】
出張を行うユーザのユーザ端末から入力される土産品に関する指定情報を受け付け、
前記受け付けた指定情報に基づいて、ユーザの出張スケジュールを管理するスケジュール管理端末と、出張に伴って購入する土産品に関する情報を格納する土産品データベースにアクセスし、
前記土産品データベースの前記土産品に関する情報から、出張に伴って購入する土産品と当該土産品の購入先情報を取得し、土産品購入情報として前記ユーザ端末に対して出力することを特徴とする土産品情報提供装置。
【請求項１０】
前記土産品データベースに前記土産品に関する情報として格納される、土産品の名称、店舗、値段等を含むデータを前記土産品毎に格納した土産品情報と、土産品を購入する店舗の情報を格納した店情報を参照して、前記土産品と当該土産品の購入先情報を取得することを特徴とする請求項９に記載の土産品情報提供装置。
【請求項１１】
出張に関する情報と、前記土産品に関する選択条件が、前記指定情報として、前記ユーザ端末から入力され、
前記指定情報に含まれる前記土産品に関する選択条件に合致する前記土産品とその土産品の購入先情報を前記土産品データベースから取得することを特徴とする請求項９又は請求項１０に記載の土産品情報提供装置。
【請求項１２】
前記土産品に関する選択条件として、土産品購入の予算額を少なくとも含み、前記予算額以内で購入可能な前記土産品を前記土産品データベースから取得することを特徴とする請求項１１に記載の土産品情報提供装置。
【請求項１３】
前記土産品に関する選択条件に基づいて、前記土産品の届け先の嗜好に適合する土産品を前記土産品データベースの土産品の届け先の嗜好を登録した嗜好情報に基づいて取得すると共に、前記土産品データベースの以前に選択した土産品の履歴情報を参照して前回と同じか異なる土産品を前記土産品データベースから取得することを特徴とする請求項１１又は請求項１２に記載の土産品情報提供装置。
【請求項１４】
前記選択条件に合致する土産品の候補を含む投票依頼を、複数の仲間が所有する複数のユーザ端末に対して送信し、
前記複数のユーザ端末から送信された土産品の候補に対する投票を集計し、その結果に基づいて前記土産品の候補を土産品とするかを決定することを特徴とする請求項１１から請求項１３の何れか１項に記載の土産品情報提供装置。
【請求項１５】
通信回線を介して前記土産品の購入先である店舗が備える装置にアクセスすることにより、前記土産品に関する関連情報を収集し、前記土産品データベースに登録することを特徴とする請求項９から請求項１４の何れか１項に記載の土産品情報提供装置。
【請求項１６】
出張を行うユーザのユーザ端末から入力される土産品に関する指定情報を受け付ける機能と、
前記受け付けた指定情報に基づいて、ユーザの出張スケジュールを管理するスケジュール管理端末と、出張に伴って購入する土産品に関する情報を格納する土産品データベースにアクセスする機能と、
前記土産品データベースの前記土産品に関する情報から、出張に伴って購入する土産品と当該土産品の購入先情報を取得し、土産品購入情報として前記ユーザ端末に対して出力する機能を、コンピュータに実行させる土産品購入支援プログラム。
【発明の詳細な説明】
【技術分野】
【０００１】
本発明は、出張のスケジュールに連携して出張先の土産品に関する情報をユーザに提供する出張スケジュール連携土産品購入支援システム、土産品購入支援装置、土産品購入支援プログラムに関する。
【背景技術】
【０００２】
従来、企業に勤めるビジネスマンが出張をする場合、その出張の序に、ビジネスマンが所属する部署の仲間からの要望に従って、出張先の地域における特産品やその他の品物を土産として購入して帰るといったことが行われている。また、出張先の顧客への手土産として、顧客の嗜好に合ったものを予め持参する場合もある。
【０００３】
このような出張に際しての土産の購入においては、従来、所属する部署の仲間からの要望によって土産を購入する場合であれば、仲間一人一人から土産品の希望や予算等を出張前に確認してメモに残し、出張先でメモを参照しながら購入できる店を探し土産品を調達することになる。
【０００４】
また、得意先や顧客への贈答の目的で土産を購入する場合には、土産を贈る相手の嗜好等を考慮して土産品を決めて購入し、出張先に持参することになる。
【特許文献１】特開２００２−２６９４４４号公報
【発明の開示】
【発明が解決しようとする課題】
【０００５】
土産として購入する品物をメモして出張先で購入する場合、目的の品物を購入する購入先や予算に見合う範囲内で土産を調達するのに非常に手間がかかるといった問題がある。
【０００６】
特に、出張のように本来の業務の合間に土産を調達する必要がある場合、すなわち土産購入のための空き時間が制約されている場合には、その制約された時間内で全員の希望の土産を調達することは非常な困難が伴う。
【０００７】
すなわち、出張者は出張のスケジュールを確かめた上で、仲間が所望する土産を購入することができる店舗の場所や営業時間を調べ、出張先でスケジュールの合間に土産を購入する必要があるためである。
【０００８】
また、得意先や顧客への贈答の目的で土産を購入して持参する場合でも、土産品を贈る相手の嗜好等などを予め覚えていないと、相手に適した土産品を決めるのに時間がかかると共に、決めた土産品の購入先を探すのにも時間と労力がかかり、簡単にお土産を調達できない。
【０００９】
なお、スケジュールを管理する技術としては、例えば、特許文献１に記載されるような、利用者のクライアント側端末からサーバにスケジュールを入力すると、サーバ側で入力されたスケジュールを解析し、スケジュールデータの各要素に関連する関連情報を収集してクライアント側装置に提供するシステムが提案されている。
この特許文献１に開示されるようなスケジュール管理システムを利用すれば、出張スケジュールのデータに関連して出張先の地域の地図情報などを取得し、土産品を購入する店舗などを検索することは可能であるが、仲間の要望や顧客の嗜好に合った土産品を、予算の範囲内で調達するのには非常に手間がかかることになる。
【００１０】
本発明の目的は、出張のスケジュールに連携して予算やその他の選択条件に適合した土産品を自動的に決定することができると共に、その土産品の購入先の情報を提供することにより、出張における土産品の調達を支援することができる出張スケジュール連携土産品購入支援システム、土産品購入支援装置、土産品購入支援プログラムを提供することにある。
【００１１】
本発明の他の目的は、土産品を出張先における限られた時間内で効率よく購入することを可能とする出張スケジュール連携土産品購入支援システム、土産品購入支援装置、土産品購入支援プログラムを提供することにある。
【課題を解決するための手段】
【００１２】
上記第１の目的を達成する本発明の出張スケジュール連携土産品購入支援システムは、ユーザの出張スケジュールを管理するスケジュール管理端末と、前記スケジュール管理端末にアクセスして出張スケジュールの入力及び閲覧を行うユーザ端末と、出張に伴って購入する土産品に関する情報を格納する土産品データベースと、前記ユーザ端末から入力された指定情報に基づいて、前記土産品データベースの前記土産品に関する情報から、出張に伴って購入する土産品と当該土産品の購入先情報を取得し、土産品購入情報として前記ユーザ端末に対して出力する土産品情報提供装置とを備えることを特徴とする。
【００１３】
本発明の出張スケジュール連携土産品購入支援システムによれば、前記土産品データベースは、土産品の名称、店舗、値段等を含むデータを前記土産品毎に格納した土産品情報と、土産品を購入する店舗の情報を格納した店情報とを、前記土産品に関する情報として格納することを特徴とする。
【００１４】
本発明の出張スケジュール連携土産品購入支援システムによれば、出張に関する情報と、前記土産品に関する選択条件が、前記指定情報として、前記ユーザ端末から入力され、前記土産品情報提供装置は、前記指定情報に含まれる前記土産品に関する選択条件に合致する前記土産品とその土産品の購入先情報を前記土産品データベースから取得することを特徴とする。
【００１５】
本発明の出張スケジュール連携土産品購入支援システムによれば、前記土産品に関する選択条件として、土産品購入の予算額を少なくとも含み、前記土産品情報提供装置は、前記予算額以内で購入可能な前記土産品を前記土産品データベースから取得することを特徴とする。
【００１６】
本発明の出張スケジュール連携土産品購入支援システムによれば、前記土産品データベースは、前記土産品の届け先の嗜好を登録した嗜好情報と、以前に選択した土産品の履歴情報を含み、前記土産品情報提供装置は、前記土産品に関する選択条件に基づいて、前記土産品の届け先の嗜好に適合する土産品を前記土産品データベースから取得すると共に、前記履歴情報を参照して前回と同じか異なる土産品を前記土産品データベースから取得することを特徴とする。
【００１７】
本発明の出張スケジュール連携土産品購入支援システムによれば、前記土産品情報提供装置は、前記選択条件に合致する土産品の候補を含む投票依頼を、複数の仲間が所有する複数のユーザ端末に対して送信し、前記複数のユーザ端末から送信された土産品の候補に対する投票を集計し、その結果に基づいて前記土産品の候補を土産品とするかを決定することを特徴とする。
【発明の効果】
【００１８】
本発明によれば、以下の効果を達成できる。
第１に、出張のスケジュールに連携して予算やその他の選択条件に適合した土産品を自動的に決定することができ、かつその土産品の購入先の情報を提供することで、出張における土産品の調達が非常に容易になり、土産品を出張先における限られた時間内で効率よく購入することが可能となる。
【００１９】
第２に、出張先の顧客に土産品を持参する場合においても、嗜好や季節等に基づいて相手に適した土産品を簡単に選ぶことでき、かつその土産品の購入先の情報も提供されるので、出張に際に用意する土産品の調達を非常に楽に行うことができるようになる。
【発明を実施するための最良の形態】
【００２０】
以下、本発明を実施するための最良の形態について、図面を参照して詳細に説明する。
【００２１】
（実施の形態の構成）
図１に、本発明の好適な実施の形態による出張スケジュール連携土産品購入支援システム１０の全体構成を示す。この出張スケジュール連携土産品購入支援システム１０は、ユーザの出張スケジュールを管理するスケジュール管理端末２０と、前記スケジュール管理端末にアクセスして出張データの入力及び閲覧を行なうユーザ端末３０と、出張先に関連する土産品の情報及びその土産品を扱う店の情報を格納する土産品データベース４０と、ユーザ端末３０から入力した出張スケジュールデータに基づいて、土産品データベース４０の各種情報を参照して出張先における土産品と当該土産品の購入先等を含む土産品購入情報を生成し、ユーザ端末３０に対して出力する土産品情報提供装置５０とを備えて構成される。
【００２２】
スケジュール管理端末２０、ユーザ端末３０、土産品データベース４０、土産品情報提供装置５０は、例えば、企業内のローカルエリアネットワーク等により互いに通信可能に接続されている。また、土産品情報提供装置５０については、インターネット６０に接続され、当該インターネット６０を経由して土産品に関する情報を検索して収集することができる。
【００２３】
この土産品に関する情報としては、例えば、土産品を扱う店舗の地図情報、当該店舗のお買い得情報等が含まれる。
【００２４】
スケジュール管理端末２０は、企業内の所定の部署等に所属する各ユーザ（従業員）毎の出張のためのスケジュールを管理する装置であり、一般的なコンピュータ装置と同様のハードウェア構成によって実現されている。
【００２５】
このスケジュール管理端末２０には、ユーザ端末３０を介して入力される各ユーザ毎の出張スケジュール情報が登録され、随時更新される。
【００２６】
このスケジュール管理端末２０については、従来提供されているこの種の端末をそのまま利用することが可能である。
【００２７】
スケジュール管理端末２０に登録された出張スケジュール情報１００の例を、図２に示す。
【００２８】
図２に示すように、出張スケジュール情報１００は、出張日時１０１、主張先１０２、主張先の場所情報１０３、出張を行うユーザ（出張者）の氏名１０４、付加情報１０５の項目からなり、出張日時１０２には、「２００７年１月１０〜２００７年１月１５日」のような期間が記入され、出張先１０３には、相手の企業名等、場所情報１０３には、その所在地が記入される。
【００２９】
出張を担当するユーザは勿論、同じ部署に所属する他のユーザもユーザ端末３０を利用してスケジュール管理端末２０に登録された出張スケジュール情報１００を閲覧することが可能である。
【００３０】
ユーザ端末３０は、各ユーザが所有又は共有する端末であり、パーソナルコンピュータ（ＰＣ）や、ノートＰＣ、ＰＡＤ、携帯電話等の携帯端末等からなる。
【００３１】
土産品データベース４０には、土産品に関する情報である土産品情報２００と、土産品を扱う店舗に関する情報である店情報３００と、土産品を届ける対象となる仲間や顧客の嗜好に関する情報である嗜好情報４００と、これまでに届けた土産品に関する履歴情報である土産品履歴情報５００が格納されている。
【００３２】
土産品データベース４０に格納される土産品情報２００の構成例を図３に、店情報３００の構成例を図４に、嗜好情報４００の構成例を図５に、土産品履歴情報５００の構成例を図６にそれぞれ示す。
【００３３】
土産品情報２００は、図３に示すように、土産品名２０１、土産品に関する場所情報２０２、土産品を扱う店舗２０３、各店の土産品の価格２０４、土産品に関する季節情報２０６、付加情報２０６からなる。
【００３４】
場所情報２０２には、対応する土産品が存在する場所の情報が記載されている。
【００３５】
同じ土産品を扱う店舗が複数存在する場合には、それらの店舗名が各土産品毎に複数設定される。その場合、各店舗毎の土産品の価格が記入される。
【００３６】
季節情報２０５には、土産品が季節に特有の品である場合、或いは年中行事等に関連している場合に、その関連する情報が設定される。
【００３７】
付加情報２０６には、例えば、価格が季節等によって変動する場合に、その現在の価格等が格納されている。
【００３８】
店情報３００は、土産品情報２００に記載された各店舗に関する詳細情報を登録したものであり、図４に示すように、店舗の名称である店名３０１、営業時間や休業日の情報である営業日時３０２、店舗の所在地３０３、地図情報３０４、店舗が扱う土産品３０５、最新情報３０６の各項目が含まれている。
【００３９】
地図情報３０４としては、店舗の地図データそのものを示すデータや、地図データが存在するインターネット上のサイトのＵＲＬ等が指定される。
【００４０】
土産品３０５には、対応する店舗で扱う土産品が記入されている。
【００４１】
最新情報３０６には、定期的または随時提供される各店舗毎のお買い得情報（特売品とその価格等の情報）等が示される。この最新情報３０６は、土産品情報提供装置５０が各店舗によって公開されているサイトの情報から取得し、随時更新することが可能である。
【００４２】
嗜好情報４００は、土産品を届ける所定の部署に所属する仲間やグループ、主張先の顧客毎の嗜好内容を予め登録したものであり、図５に示すように、届け先４０１と、その嗜好内容４０２の項目からなる。
【００４３】
届け先４０１には、土産品の届け先である所定の部署内の仲間やグループ、主張先の顧客を示す氏名や名称が登録される。
【００４４】
嗜好内容４０２には、届け先４０１に記載された仲間やグループ、顧客の嗜好が記載される。例えば、食べ物であれば辛い物や甘い物に対する好き嫌い、お酒に対する好き嫌いなどが記入されている。
【００４５】
このような嗜好情報４００を参照することにより、届け先である仲間や顧客の嗜好に適合する土産品の購入が可能であると共に、間違って届け先の嗜好に合わない物を選んでしまう不手際を回避することができる。
【００４６】
土産品履歴情報５００は、これまでに届けた土産品に関する履歴情報を登録したものであり、図６に示すように、日付５０１と、土産品５０２と、出張者５０３と、届け先５０４の項目からなる。
【００４７】
日付５０１には、本システムを利用して土産品購入情報を出力した日時が登録されている。
【００４８】
この土産品履歴情報５００は、届け先への土産品の選択に利用される。例えば、同じ届け先に前回と同じ土産品を選択してしまうのを回避することができると共に、反対に、届け先の相手の嗜好に合った土産品を選択する場合には、前回と同じ土産品を選択するのに利用できる。
【００４９】
土産品情報提供装置５０は、スケジュール管理端末２０に登録されたユーザの出張スケジュールデータに基づいて、土産品データベース４０の上記土産品情報と店情報を参照することにより、出張先における土産品購入に関する土産品購入情報を生成し、ユーザ端末３０に対して出力する装置であり、一般的なコンピュータ装置と同様のハードウェア構成によって実現されている。
【００５０】
土産品情報提供装置５０の機能的な構成について図７を参照して説明する。土産品情報提供装置５０は、図７に示すように、送受信部５１と、データベースアクセス部５２と、関連情報収集部５３と、土産品選択処理部５４、投票処理部５５と、土産品購入情報生成部５６をその機能として備えている。
【００５１】
送受信部５１は、ユーザ端末３０−１〜３０−ｎ及びスケジュール管理端末２０との間でデータの送受信を行う機能を提供する。
【００５２】
データベースアクセス部５２は、土産品データベース４０にアクセスして必要な情報の参照及び更新等の処理を行う機能を提供する。
【００５３】
関連情報収集部５３は、インターネット６０を介して店舗側に設置されるサーバ上のサイト等にアクセスして土産品に関連する付加情報２０６や、店舗の地図情報３０４や最新情報３０６などを収集し、土産品データベース４０の土産品情報２００及び店情報３００を適宜更新する機能を提供する。
【００５４】
土産品選択処理部５４は、ユーザ端末３０から入力された入力条件に従って、土産品データベース４０から購入する土産品を選別する機能を提供する。
【００５５】
投票処理部５５は、土産品選択処理部５４によって選択された土産品の候補について複数の仲間（ユーザ端末）による投票処理を実行する機能を提供する。
【００５６】
土産品購入情報生成部５６は、土産品選択処理部５４によって最終的に決定された土産品について、土産品に関する情報を土産品データベース４０の土産品情報２００と店情報３００から取得して土産品購入情報を生成する機能を提供する。
【００５７】
なお、土産品購入情報生成部５６と投票処理部５５による処理については、後述する図１０のフローチャートに従って詳細に説明する。
【００５８】
ここで、土産品情報提供装置５０のハードウェア構成について簡単に説明する。
【００５９】
図８は、本実施の形態による土産品情報提供装置５０のハードウェア構成例を示すブロック図である。
【００６０】
図８を参照すると、本発明による土産品情報提供装置５０は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）９０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部９０２、インターネット等の通信網を介してデータの送受信を行う通信制御部９０３、液晶ディスプレイ、プリンタやスピーカ等の出力部９０４、キーボードやマウス等の入力部９０５、周辺機器と接続してデータの送受信を行うインタフェース部９０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部９０７、本情報処理装置の上記各構成要素を相互に接続するシステムバス９０８等を備えている。
【００６１】
本発明による土産品情報提供装置５０は、その動作を、土産品情報提供装置５０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、上記ＣＰＵ９０１で実行することにより、ソフトウェア的に実現することができる。
【００６２】
すなわち、ＣＰＵ９０１は、補助記憶部９０７に格納されているプログラムを、主記憶部９０２にロードして実行し、土産品情報提供装置５０の送受信部５１と、データベースアクセス部５２と、関連情報収集部５３と、土産品選択処理部５４、投票処理部５５と、土産品購入情報生成部５６の各機能をソフトウェア的に実現する。
【００６３】
なお、スケジュール管理端末２０及びユーザ端末３０についても、その基本的なハードウェア構成は、上述した土産品情報提供装置５０のハードウェア構成と同様である。
【００６４】
次いで、上記のように構成される本実施の形態による出張スケジュール連携土産品購入支援システム１０の動作について図９〜図１２を参照して説明する。
【００６５】
出張者であるユーザがユーザ端末３０を操作してスケジュール管理端末２０にアクセスすることにより、自身の出張スケジュールを確認した後、土産品情報提供装置５０にアクセスし、図９に示すような土産品情報提供装置５０が提供する指定情報入力画面９００をユーザ端末３０に表示させ、出張日時、出張先及び出張者、土産品購入の予算額及びその他の指定情報を入力する。
【００６６】
土産品情報提供装置５０が提供する図９に示す条件入力画面９００をユーザ端末３０に表示させて指定情報を入力するだけでなく、条件入力画面９００に示される項目をフォーマットとして含むデータを、電子メールによってユーザ端末３０から土産品情報提供装置５０に対して送信するようにしても良い。
【００６７】
条件入力画面９００の入力データとしては、出張日時、出張先及び出張者、土産品購入の予算額と共に、土産品の届け先が仲間か顧客かを指定し、さらに、土産品を選択するための条件となる、「嗜好」、「重複無し」、「前回と同じ」、「新規の品」、「季節考慮」等の選択条件を入力する。この選択条件の入力は任意であり、１つでもよいし全てを選択してもよい。
【００６８】
土産品の選択において、入力された選択条件に従った選択処理が実行されることになる。
【００６９】
また、「投票」による選別をするかどうかの指定を入力する。投票による選別が選択された場合には、仲間からの投票による投票処理が実行されることなる。選択処理と投票処理の詳細については後述する。
【００７０】
図１０は、土産品情報提供装置５０の処理の流れを示すフローチャートである。
【００７１】
土産品情報提供装置５０では、出張者であるユーザから出張日時や出張先などの指定情報が入力されると、その指定情報を受け付ける（ステップ１００１）。
【００７２】
土産品情報提供装置５０では、出張日時と主張先の入力情報に基づいて、スケジュール管理端末２０に記録されているスケジュール情報１００を参照し、出張先の場所情報に基づいて、土産品データベース４０の土産品情報２００にアクセスする（ステップ１００２）。
【００７３】
土産品情報２００から、土産品としての候補を取得する（ステップ１００３）。
【００７４】
土産品の届け先が仲間である場合（出張先で土産を購入する場合）には、例えば、出張先の場所情報と一致する場所情報を検索し、検索した場所情報に対応する土産品を取得する。
【００７５】
土産品の届け先が出張先の顧客である場合には、例えば、土産品情報２００に登録されている土産品全てを候補として取得する。
【００７６】
次いで、土産品に対応して記入されている価格の情報に基づいて、取得した土産品毎に、条件として入力した予算額内で購入可能であるかどうかを判定する（ステップ１００４）。
【００７７】
取得した土産品が複数ある場合には、各土産品毎に予算額内で購入可能であるかを判定する。
【００７８】
入力された予算額内で購入可能であると判定された土産品を候補として選択する（ステップ１００５）。
【００７９】
ステップ１００４で、予算額内で購入可能な土産品が存在しない場合には、ユーザ端末３０に対して予算額の変更を通知し（ステップ１００６）、ユーザ端末３０からの条件入力を待ち、変更後の条件が入力後、ステップ１００１からのステップを繰り返す。
【００８０】
予算額に適合した土産品の候補が選択されると、次いで土産品の選択条件が指定されているかどうかを判定し（ステップ１００７）、指定されていれば、候補の中から選択条件に適合する土産品を選別する処理を実行する（ステップ１０１１）。
【００８１】
土産品の選別処理では、土産品情報２００、嗜好情報４００、土産品履歴情報５００を参照して、ステップ１００５で選択された土産品の候補のうち、入力された選択条件（嗜好、重複無し、新規の品、季節考慮）に適合する土産品を選別する。
【００８２】
例えば、選択条件として「新規の品」と「季節考慮」が指定されている場合、土産品履歴情報５００を参照して過去に購入したことのある土産品が、選択された土産品から除外されると共に、土産品情報２００を参照して出張日時の季節に合致した土産品が、選択された土産品から選別される。
【００８３】
選択条件に合致した土産品があれば（ステップ１０１２）、選択条件で選別された土産品について以降のステップが適用され、選択条件に合致した土産品がない場合には、再度ステップ１００１に戻り、別の選択条件を指定を待ち受けることになる。
【００８４】
選択条件に合致した土産品の候補がある場合、次いで、「投票」が指定されているかどうかを判別し（ステップ１００８）、指定されていれば、選別された土産品の候補について投票処理を実行する（ステップ１０１２）。この投票処理の流れを図１１に示す。
【００８５】
投票処理においては、まず、土産品情報提供装置５０が、ステップ１００５又はステップ１０１１で選択された土産品の候補から投票候補のリストを作成し（ステップ１１０１）、土産品の届け先である仲間（グループ）のユーザ端末３０−１〜３０−ｎに対して送信する（ステップ１１０２）。
【００８６】
投票候補のリストを受け取った仲間は、候補の中から自身が土産品として欲しいものを選び、選んだ土産品をユーザ端末３０−１〜３０−ｎを介して土産品情報提供装置５０に通知して投票を行う。
【００８７】
または、土産品の届け先が顧客である場合には、顧客にとって好ましいと考えるものを選び、選んだ土産品をユーザ端末３０−１〜３０−ｎを介して土産品情報提供装置５０に通知して投票を行う。
【００８８】
なお、候補の土産品が１つの場合には、当該土産品に賛成であるか反対であるかを通知して投票を行う。これらの投票は、ユーザ端末３０−１〜３０−ｎから電子メール等を利用して行う。
【００８９】
土産品情報提供装置５０では、ユーザ端末３０−１〜３０−ｎからの投票を受け付け（ステップ１１０３）、投票の集計を実行することにより（ステップ１１０４）、投票結果を出力する（ステップ１１０５）。
【００９０】
投票の集計においては、例えば、複数の候補がある場合、候補の土産品から最も得票数の多いものを土産品として決める。その場合、得票数が同数の土産品が複数ある場合には、それらの土産品について再度投票を行ってもよいし、複数の候補を土産品として決定してもよい。
【００９１】
また、候補が１つの場合には、例えば、賛成の票が過半数得られたときにその候補を土産品として決定してもよいし、３分の１の賛成で土産品として決定してもよい。
【００９２】
投票処理の結果、土産品として選ばれた候補があれば（ステップ１０１４）、その候補が土産品として決定される。
【００９３】
投票で土産品として選ばれた候補がない場合（例えば、賛成が得られなかった場合、票数で差が付かなかった場合）、再度ステップ１００１に戻り、別の選択条件の指定を待ち受けることになる。
【００９４】
以上の処理により、予算額に合致した土産品の候補、予算額に合致しかつ選択条件に適合した候補、予算額に合致し投票により選ばれた候補、予算額と選択条件に合致し、かつ投票により選ばれた候補の何れかが、土産品として決定される。
【００９５】
その後、決定した土産品に関する情報を土産品データベース４０の土産品情報２００と店情報３００から取得して土産品購入情報を生成する（ステップ１００９）。
【００９６】
この場合、決定した土産品が複数存在する場合には、例えば、価格の安い順や購入先の店舗の場所が出張先に近い順でソートしリスト形式で土産品購入情報を生成する。
【００９７】
そして、生成した土産品購入情報を該当するユーザのユーザ端末３０に通知する（ステップ１０１０）。
【００９８】
ユーザ端末３０への通知は、電子メール等によって土産品購入情報１２００を直接通知することも可能であるし、土産品購入情報を閲覧するアドレスをユーザ端末３０に通知し、その通知されたアドレスに従ってユーザ端末３０から土産品購入情報を閲覧するようにしてもよい。
【００９９】
ユーザ端末３０に通知される土産品購入情報１２００の例を図１２に示す。図１２に示すように、日時、出張先、出張者と共に、出張先で購入予定の土産品Ａと土産品Ｂがリストアップされ、さらにそれらの土産品の購入先である店と、店毎の価格、所在地と営業時間、及び地図情報が示されている。
【０１００】
出張者であるユーザが出張のついでに同じ部署の仲間（又はグループ）の要望で土産品を購入する場合、ユーザ端末３０に通知された土産品購入情報１２００を参照することにより、仲間が所望する土産品を出張先における限られた時間内で効率よく購入することが可能となる。
【０１０１】
（本実施の形態の効果）
以上説明した本実施の形態による出張スケジュール連携土産品購入支援システムによれば、所定部署の仲間の要望に合った土産品を出張先で購入する場合、土産品データベース４０から、予算額等の指定した選択条件に適合した土産品を選別すると共に、その選別した土産品とそれを購入できる購入先の情報を併せて土産品購入情報１２００として出張者であるユーザに提供するようにしたので、出張者はその土産品購入情報１２００を参照することで、出張先における限られた時間内で効率よく土産品を調達できるようになる。
【０１０２】
また、出張先の顧客に土産品を持参する場合においても、顧客の嗜好や季節等に適合した土産品を簡単に選ぶことでき、かつその土産品の購入先の情報も提供されるので、出張に際に用意する土産品の調達を非常に楽に行うことができるようになる。
【０１０３】
（他の実施の形態）
第１の実施の形態においては、土産品情報提供装置５０を、スケジュール管理端末２０及びユーザ端末３０と独立した装置として備えた構成を示したが、上述した土産品情報提供装置５０が提供する機能を、スケジュール管理端末２０又はユーザ端末３０側に備えて構成することも可能である。
【０１０４】
特に、土産品情報提供装置５０の機能をスケジュール管理端末２０に組み込むようにすれば、一台のスケジュール管理端末で出張のスケジュールとそれに伴う土産品の購入情報を提供することができるようになる。
【０１０５】
以上好ましい実施の形態と実施例をあげて本発明を説明したが、本発明は必ずしも、上記実施の形態及び実施例に限定されるものでなく、その技術的思想の範囲内において様々に変形して実施することができる。
【図面の簡単な説明】
【０１０６】
【図１】本発明の好適な実施の形態による出張スケジュール連携土産品購入支援システムの全体構成を示すブロック図である。
【図２】本発明の好適な実施の形態によるスケジュール管理端末で管理される出張スケジュール情報の構成例を示す図である。
【図３】本発明の好適な実施の形態による土産品データベースに格納される土産品情報の構成例を示す図である。
【図４】本発明の好適な実施の形態による土産品データベースに格納される店情報の構成例を示す図である。
【図５】本発明の好適な実施の形態による土産品データベースに格納される嗜好情報の構成例を示す図である。
【図６】本発明の好適な実施の形態による土産品データベースに格納される土産品履歴情報の構成例を示す図である。
【図７】本発明の好適な実施の形態による土産品情報提供装置の機能的な構成を示すブロック図である。
【図８】本発明の好適な実施の形態による土産品情報提供装置のハードウェア構成を示すブロック図である。
【図９】本発明の好適な実施の形態による指定情報入力画面の構成例を示す図である。
【図１０】本発明の好適な実施の形態による出張スケジュール連携土産品購入支援システムの土産品情報提供装置における動作を説明するフローチャートである。
【図１１】本発明の好適な実施の形態による出張スケジュール連携土産品購入支援システムの土産品情報提供装置における投票処理の流れを説明するフローチャートである。
【図１２】本発明の好適な実施の形態による出張スケジュール連携土産品購入支援システムの土産品情報提供装置からユーザ端末に通知する土産品購入情報の例を示す図である。
【符号の説明】
【０１０７】
１０：出張スケジュール連携土産品購入支援システム
２０：スケジュール管理端末
３０：ユーザ端末
４０：土産品データベース
５０：土産品情報提供装置
６０：インターネット
５１：送受信部
５２：データベースアクセス部
５３：関連情報収集部
５４：土産品選択処理部
５５：投票処理部
５６：土産品購入情報生成部
１００：出張スケジュール情報
２００：土産品情報
３００：店情報
４００：嗜好情報
５００：土産品履歴情報
１０００：指定情報入力画面
１２００：土産品購入情報
【図１】
2008250634.tif 000003
【図２】
2008250634.tif 000004
【図３】
2008250634.tif 000005
【図４】
2008250634.tif 000006
【図５】
2008250634.tif 000007
【図６】
2008250634.tif 000008
【図７】
2008250634.tif 000009
【図８】
2008250634.tif 000010
【図９】
2008250634.tif 000011
【図１０】
2008250634.tif 000012
【図１１】
2008250634.tif 000013
【図１２】
2008250634.tif 000014